(57)【要約】      （修正有）【課題】カバー全体を小さくして携帯端末を小型化するとともに、カバーが携帯端末の外観に占める割合を小さくして携帯端末のデザイン上の自由度を向上する。【解決手段】筐体に形成された第１開口部３ｃに対向して配置された第１コネクタ部材と、筐体に形成された第２開口部３ｄに対向して配置された第２コネクタ部材と、筐体に脱着可能に取り付けられて第１開口部３ｃを覆う第１カバー部材７ａと、筐体に脱着可能に取り付けられて第２開口部３ｄを覆う第２カバー部材７ｂと、を備える携帯端末において、筐体に形成された被取付部３ｅに取付可能に構成されて、第１カバー部材７ａに第１接続部７ｅを介して接続されるとともに第２カバー部材７ｂに第２接続部７ｆを介して接続された取付部材７ｄを備え、第１カバー部材７ａと第２カバー部材７ｂと第１接続部７ｅと第２接続部７ｆと取付部材７ｄとを一体に形成する。【選択図】図３
2008054124.tif 000002
【特許請求の範囲】
【請求項１】
筐体に形成された第１開口部に対向して配置された第１コネクタ部材と、
前記筐体に形成された第２開口部に対向して配置された第２コネクタ部材と、
前記筐体に脱着可能に取り付けられて前記第１開口部を覆う第１カバー部材と、
前記筐体に脱着可能に取り付けられて前記第２開口部を覆う第２カバー部材と、
を備える携帯端末において、
前記筐体に形成された被取付部に取付可能に構成されて、前記第１カバー部材に第１接続部を介して接続されるとともに前記第２カバー部材に第２接続部を介して接続された取付部材を備え、
前記第１カバー部材と前記第２カバー部材と前記第１接続部と前記第２接続部と前記取付部材とが一体に形成されていることを特徴とする、携帯端末。
【請求項２】
前記第２カバー部材は、前記筐体の、前記取付部材が配置される表面に配置されることを特徴とする、請求項１記載の携帯端末。
【請求項３】
前記第１接続部と前記第２接続部とは、前記取付部材からの延設方向が互いに異なって配設されていることを特徴とする、請求項１または２記載の携帯端末。
【請求項４】
前記第１接続部は、湾曲して形成されていることを特徴とする、請求項１から３までの何れか１項記載の携帯端末。
【請求項５】
前記第１コネクタ部材は、外部接続端子用コネクタにより構成され、
前記第２コネクタ部材は、カード用コネクタにより構成され、
前記第１カバー部材は、その第１カバー部材の短手方向で前記第１接続部材に接続され、
前記第２カバー部材は、その第２カバー部材の長手方向で前記第２接続部材に接続されていることを特徴とする、請求項１から４までの何れか１項記載の携帯端末。
【発明の詳細な説明】
【技術分野】
【０００１】
この発明は、筐体に形成された第１開口部に対向して配置された第１コネクタ部材と、前記筐体に形成された第２開口部に対向して配置された第２コネクタ部材と、前記筐体に脱着可能に取り付けられて前記第１開口部を覆う第１カバー部材と、前記筐体に脱着可能に取り付けられて前記第２開口部を覆う第２カバー部材とを備える携帯端末に関するものである。
【背景技術】
【０００２】
上記の如き携帯端末としては例えば携帯電話機が知られており、従来の携帯電話機は通常、液晶画面と文字入力キーとを持つ一体型や開閉型の筐体を具え、その筐体内に外部端子用コネクタとしての充電用コネクタやイヤホン用コネクタ等の他、カード用コネクタとしての外部メモリ用コネクタが設けられるとともに、その筐体にそれぞれのコネクタに対向する開口部が形成され、それらの開口部を覆うカバー部材がそれぞれ個別に、その筐体に脱着可能に取り付けられている（例えば特許文献１参照）。
【０００３】
そして上記のように複数のコネクタ用の複数のカバー部材を筐体に取り付けるに際し、従来の携帯電話機では、複数のコネクタにそれぞれ対向する複数の開口部を覆う複数のカバー部材がそれぞれ個別に、そのカバー部材に接続部を介して取付部材を接続されてカバーを構成しており、それらのカバーの取付部材が、複数の開口部にそれぞれ隣接して上記筐体に形成された複数の被取付部にそれぞれ取り付けられている。
【特許文献１】特開２００４−２１４９６９号公報
【発明の開示】
【発明が解決しようとする課題】
【０００４】
しかしながら上記のように複数の開口部を覆う複数のカバー部材がそれぞれ個別に取付部材を接続されてカバーを構成し、それらのカバーの取付部材が上記筐体の被取付部にそれぞれ取り付けられていると、各々のカバー全体が大きくなって携帯端末が大型化するばかりでなく、カバーが携帯端末の外観に占める割合が高くなって携帯端末のデザイン上の制約が大きくなり、さらに、部品点数が増えるとともに、組み付け工数が増えるという問題がある。
【課題を解決するための手段】
【０００５】
この発明は、上記課題を有利に解決することを目的とするものであり、請求項１記載のこの発明の携帯端末は、筐体に形成された第１開口部に対向して配置された第１コネクタ部材と、前記筐体に形成された第２開口部に対向して配置された第２コネクタ部材と、前記筐体に脱着可能に取り付けられて前記第１開口部を覆う第１カバー部材と、前記筐体に脱着可能に取り付けられて前記第２開口部を覆う第２カバー部材と、を備える携帯端末において、前記筐体に形成された被取付部に取付可能に構成されて、前記第１カバー部材に第１接続部を介して接続されるとともに前記第２カバー部材に第２接続部を介して接続された取付部材を備え、前記第１カバー部材と前記第２カバー部材と前記第１接続部と前記第２接続部と前記取付部材とが一体に形成されていることを特徴としている。
【発明の効果】
【０００６】
この発明の携帯端末にあっては、少なくとも、第１コネクタ部材に対向する第１開口部を覆う第１カバー部材と、第２コネクタ部材に対向する第２開口部を覆う第２カバー部材とが、第１接続部と第２接続部とを介してそれぞれ取付部材に接続され、それら第１カバー部材と第２カバー部材と第１接続部と第２接続部と取付部材とが一体に形成されていることから、第１カバー部材と第２カバー部材とがそれらに共用された取付部材で筐体の被取付部に取り付けられるので、カバー全体を小さくして携帯端末を小型化するとともに、カバーが携帯端末の外観に占める割合を小さくして携帯端末のデザイン上の自由度を向上させることができ、さらに、携帯端末の部品点数およびカバー部材の組み付け工数の削減を図ることができる。
【発明を実施するための最良の形態】
【０００７】
以下、本発明の実施の形態を実施例によって、図面に基づき詳細に説明する。ここに、図１は、この発明の携帯端末の一実施例としての折り畳み式携帯電話機の文字入力側筐体のみの外観を背面側から見た状態で示す斜視図、図２（ａ），（ｂ）は、上記実施例の携帯電話機の外観を液晶側筐体から見て液晶側筐体と文字入力側筐体とを相互に開いた状態および閉じた状態でそれぞれ示す斜視図、図３は、上記実施例の携帯電話機の文字入力側筐体に設けられた第１カバー部材と第２カバー部材とを第１接続部と第２接続部と取付部材と共に示す拡大斜視図、図４は、上記実施例の携帯電話機の文字入力側筐体を、それら第１カバー部材と第２カバー部材と第１接続部と第２接続部と取付部材とから構成されたカバーを外した状態で示す拡大斜視図、図５は、上記実施例の携帯電話機の文字入力側筐体の一部と上記カバーとを示す分解斜視図、図６（ａ），（ｂ）は、上記カバー単体を図３に示す方向およびその反対側（裏側）から見た状態でそれぞれ示す斜視図であり、図中符号１は、上記実施例の携帯電話機を示す。
【０００８】
この実施例の携帯電話機１は、図２に示すように、液晶側筐体２と文字入力側筐体３とを備え、液晶側筐体２は、フロントケース２ａとリアケース２ｂとが相互に嵌合固定されて構成され、文字入力側筐体３は、フロントケース３ａとリアケース３ｂとが相互に嵌合されるとともにネジで固定されて構成されており、液晶側筐体２と文字入力側筐体３とは、連結部としてのヒンジ部４を介して相互に開閉自在とされている。
【０００９】
液晶側筐体２は、フロントケース２ａとリアケース２ｂとの内部に図示しない基板を内蔵し、その基板の表面に設置された液晶表示ユニット５がフロントケース２ａから表出している。またその基板には、スピーカ等の各種電子部品が実装されて電気的に接続されている。一方、文字入力側筐体３は、フロントケース３ａとリアケース３ｂとの内部に図示しない基板を内蔵し、その基板の表面に図示しない金属フレームを介して設置されたキーボタンシート６がフロントケース３ａから表出している。またその基板には、マイク等の各種電子部品が実装されて電気的に接続されている。
【００１０】
文字入力側筐体３には、図３および図４に示すように、第１開口部としての外部端子用開口部３ｃと、第２開口部としての外部メモリ用開口部３ｄとが形成されており、文字入力側筐体３内の上記基板には、外部端子用開口部３ｃに対向して配置された、第１コネクタ部材としての図示しない外部接続端子用コネクタ（図示例ではイヤホン用コネクタ）と、外部メモリ用開口部３ｄに対向して配置された、第２コネクタ部材としての図示しない外部メモリ（メモリカード）用コネクタとが搭載されている。なお、第１コネクタ部材および第２コネクタ部材は、外部接続端子用コネクタまたは外部メモリ用コネクタに限定されるものでなく、外部部材との接続や装着を伴うコネクタであれば良い。
【００１１】
さらにこの実施例の携帯電話機１は、図３に示すように、文字入力側筐体３に設けられたカバー７を備えており、そのカバー７は、文字入力側筐体３に対し離脱および掛合することで文字入力側筐体３に着脱可能に取り付けられて外部端子用開口部３ｃを覆う、第１カバー部材としての外部端子用カバー部材７ａと、同じく文字入力側筐体３に対し離脱および掛合することで文字入力側筐体３に脱着可能に取り付けられて外部メモリ用開口部３ｄを覆う、第２カバー部材としての外部メモリ用カバー部材７ｂと、文字入力側筐体３に形成された被取付部としての掛合凹部３ｅにフロントケース３ａとリアケース３ｂとの分解状態で掛合するとともにフロントケース３ａとリアケース３ｂとの組付けによりその掛合凹部３ｅから外れ止めされる掛合突部７ｃを有することでその掛合凹部３ｅに取付可能とされて外部端子用カバー部材７ａに接続されるとともに外部メモリ用カバー部材７ｂに接続された取付部材７ｄと、外部端子用カバー部材７ａと取付部材７ｄとを接続する第１接続部７ｅと、外部メモリ用カバー部材７ｂと取付部材７ｄとを接続する第２接続部７ｆとにより構成されている。なお、取付部材７ｄの、掛合凹部３ｅへの取付構造は、上述した構成に限定されるものでなく、取付部材７ｄが掛合凹部３ｅに着脱可能にまたは取り外し不能に取り付けられる構成であれば良い。
【００１２】
ここで、外部端子用カバー部材７ａと外部メモリ用カバー部材７ｂと掛合突部７ｃと取付部材７ｄと第１接続部７ｅと第２接続部７ｆとは、軟質の樹脂により一体成形で形成されており、外部メモリ用カバー部材７ｂは、文字入力側筐体３の、取付部材７ｄが配置される表面である背面（図３では上向きの面）に配置され、また外部端子用カバー部材７ａは、文字入力側筐体３の側面（図３では左向きの面）に配置されており、さらに第１接続部７ｅと第２接続部７ｆとは、取付部材７ｄからの延設方向が互いに異なって、第２接続部７ｆが文字入力側筐体３の上記背面に配設されるとともに、第１接続部７ｅが文字入力側筐体３の上記側面と背面との間の稜線に合わせて湾曲して形成されて、その稜線上に配置されている。なお、カバー７は、外部端子用カバー部材７ａと外部メモリ用カバー部材７ｂとを硬質の樹脂で形成するとともに、取付部材７ｄと第１接続部７ｅと第２接続部７ｆとを軟質の樹脂で形成し、それら硬質の樹脂と軟質の樹脂とで２色成形して一体成形するようにしても良い。
【００１３】
そして図３および図６に示すように、第１接続部７ｅと第２接続部７ｆとは、取付部材７ｄよりも薄く形成されて、外部端子用カバー部材７ａと外部メモリ用カバー部材７ｂとの開閉の際の取付部材７ｄに対するそれら外部端子用カバー部材７ａと外部メモリ用カバー部材７ｂとの揺動を容易にされ、また外部端子用カバー部材７ａはその短手方向で第１接続部７ｅと接続され、その一方外部メモリ用カバー部材７ｂはその長手方向で第２接続部７ｆと接続されている。
【００１４】
なお、この実施例の携帯電話機１は、図５に示すように、文字入力側筐体３の、カバー７を備える側と反対側の側面にも、文字入力側筐体３内の上記基板上に搭載された充電用コネクタや光通信用送受信部等のための開口部を覆うもう一つのカバー８を備えている。
【００１５】
かかるこの実施例の携帯電話機１にあっては、外部端子用コネクタに対向する外部端子用開口部３ｃを覆う外部端子用カバー部材７ａと、外部メモリ用コネクタに対向する外部メモリ用開口部３ｄを覆う外部メモリ用カバー部材７ｂとが、第１接続部７ｅと第２接続部７ｆとを介してそれぞれ取付部材７ｄに接続され、それら外部端子用カバー部材７ａと外部メモリ用カバー部材７ｂと第１接続部７eと第２接続部７ｆと取付部材７ｄとが一体に形成されていることから、外部端子用カバー部材７ａと外部メモリ用カバー部材７ｂとがそれらに共用された一つの取付部材７ｄによって文字入力側筐体３の掛合凹部３ｅに取り付けられる。
【００１６】
従ってこの実施例の携帯電話機１によれば、カバー７全体を小さくして携帯電話機１を小型化するとともに、カバー７が携帯電話機１の外観に占める割合を小さくして携帯電話機１のデザイン上の自由度を向上させることができ、さらに、携帯電話機１の部品点数およびカバー部材７ａ，７ｂの組み付け工数の削減を図ることができる。
【００１７】
しかもこの実施例の携帯電話機１によれば、外部メモリ用カバー部材７ｂは、掛合凹部の、取付部材７ｄが配置される表面である背面と同一の面に配置されるので、カバー７のデザイン上の制約を少なくすることができるとともに、携帯電話機１の外観デザイン上の制約を抑制することができる。
【００１８】
さらにこの実施例の携帯電話機１によれば、第１接続部７ｅと第２接続部７ｆとは、取付部材７ｄからの延設方向が互いに異なって配設されているので（特にこの実施例ではそれらの延設方向が互いに直角となっているので）、カバー部材７ａ，７ｂの一方を文字入力側筐体３から外した場合に他方のカバー部材にその外す方向の応力が作用して他方のカバー部材が文字入力側筐体３から外れることを抑制することができる。
【００１９】
さらにこの実施例の携帯電話機１によれば、外部端子用カバー部材７ａ用の第１接続部７ｅは湾曲して形成されているので、外部端子用カバー部材７ａが文字入力側筐体３の、取付部材７ｄが取り付けられた表面と異なる表面に脱着可能に取り付けられても、第１接続部７ｅに癖がつきにくくなり、また第１接続部７ｅを長くしても余分なスペースが取られないので、カバー７の表面に塗装する場合に第１接続部７ｅを長くしてその第１接続部７ｅの塗装を剥がれにくくすることができる。
【００２０】
さらにこの実施例の携帯電話機１によれば、第１コネクタ部材が外部接続端子用コネクタにより構成されるとともに、第２コネクタ部材がメモリカード用コネクタにより構成されていて、外部端子用カバー部材７ａがその短手方向で第１接続部材７ｅに接続されていることから、比較的長時間接続される外部接続端子が外部接続端子用コネクタに接続された状態で外部端子用カバー部材７ａが文字入力側筐体３の外側に大きく飛び出ることを抑制することができ、また外部メモリ用カバー部材７ｂがその長手方向で第２接続部材７ｆに接続されていることから、その外部メモリ用カバー部材７ｂを比較的大きく文字入力側筐体３から飛び出させ得て、文字入力側筐体３に対する外部メモリ用メモリカードの出し入れを容易なものとすることができる。
【００２１】
以上、図示例に基づき説明したが、この発明は上述の例に限定されるものでなく、特許請求の範囲の記載範囲内で適宜変更し得るものであり、例えば第１および第２カバー部材は取付部材に対し互いに同一の側に接続されても、互いに反対側に接続されても良い。また第１および第２カバー部材と取付部材とは筐体の互いに異なる表面に配置されても良く、その場合に第１カバー部材と第２カバー部材とも筐体の互いに異なる表面に配置されていても良い。このように、第１カバー部材と第２カバー部材と取付部材とを携帯電話機１の筐体の任意の位置に配置することにより、カバー７の設置に伴う携帯電話機１に外観デザイン上の制約を抑制できるとともに、各コネクタ部材の配置の自由度が向上し、携帯電話機１をよりコンパクトに構成することができる。
【００２２】
また、上記実施例では外部接続端子用コネクタとしてイヤホン用コネクタについて説明したが、外部接続端子用コネクタはこれに限定されず、充電用コネクタ等のように外部接続端子と接続可能に構成されるものであれば良い。
【００２３】
さらに、この発明は、折り畳み式だけでなく水平回転式や二軸ヒンジ式等の携帯電話機や一体型の携帯電話機にも適用でき、さらには携帯電話機以外の、例えばパームトップコンピュータ等の携帯端末にも適用することができる。
【産業上の利用可能性】
【００２４】
かくしてこの発明の携帯端末によれば、カバー全体を小さくして携帯端末を小型化するとともに、カバーが携帯端末の外観に占める割合を小さくして携帯端末のデザイン上の自由度を向上させることができ、さらに、携帯端末の部品点数およびカバー部材の組み付け工数の削減を図ることができる。
【図面の簡単な説明】
【００２５】
【図１】この発明の携帯端末の一実施例としての折り畳み式携帯電話機の文字入力側筐体のみの外観を背面側から見た状態で示す斜視図である。
【図２】（ａ），（ｂ）は、上記実施例の携帯電話機の外観を液晶側筐体から見て液晶側筐体と文字入力側筐体とを相互に開いた状態および閉じた状態でそれぞれ示す斜視図である。
【図３】上記実施例の携帯電話機の文字入力側筐体に設けられた第１カバー部材と第２カバー部材とを第１接続部と第２接続部と取付部材と共に示す拡大斜視図である。
【図４】上記実施例の携帯電話機の文字入力側筐体を、上記第１カバー部材と第２カバー部材と第１接続部と第２接続部と取付部材とから構成されたカバーを外した状態で示す拡大斜視図である。
【図５】上記実施例の携帯電話機の文字入力側筐体の一部と上記カバーとを示す分解斜視図である。
【図６】（ａ），（ｂ）は、上記カバー単体を図３に示す方向およびその反対側から見た状態でそれぞれ示す斜視図である。
【符号の説明】
【００２６】
１  携帯電話機
２  液晶側筐体
２ａ，３ａ  フロントケース
２ｂ，３ｂ  リアケース
３  文字入力側筐体
３ｃ  外部端子用開口部
３ｄ  外部メモリ用開口部
３ｅ  掛合凹部
４  ヒンジ部
５  液晶表示ユニット
６  キーボタンシート
７，８  カバー
７ａ  外部端子用カバー部材
７ｂ  外部メモリ用カバー部材
７ｃ  掛合突部
７ｄ  取付部材
７ｅ  第１接続部
７ｆ  第２接続部
【図１】
2008054124.tif 000003
【図２】
2008054124.tif 000004
【図３】
2008054124.tif 000005
【図４】
2008054124.tif 000006
【図５】
2008054124.tif 000007
【図６】
2008054124.tif 000008